(57)【要約】      （修正有）【課題】縦横多列に多数積み重ねて伏せた状態で並置した育苗ポットの上から搬送トレーを伏せて持ち上げるだけで、搬送トレーに複数の育苗ポットを短時間で収納させる育苗ポットと搬送トレー及びその使用方法の提供。【解決手段】育苗ポット１と、多数の育苗ポット１を搬送するための搬送トレー２であって、育苗ポット１はポット側壁１ａとポット底面１ｂと段部１ｃを介して延設させたポット縁部１ｄとを備え、搬送トレー２はトレー側壁２ａとトレー底面２ｂと収納区画室を形成するための区画用リブ２ｃと、区画用リブ２ｃにリブ側壁２ｃａと、トレー側壁２ａに外フランジ部２ｄを介して延設させたトレー縁部２ｅとを備え、トレー側壁２ａとリブ側壁２ｃａ又はリブ側壁２ｃａに囲まれた区画室内周壁と育苗ポット１の外周当接面とは摩擦抵抗により係止する。【選択図】図４
2008035845.tif 000002
【特許請求の範囲】
【請求項１】
カップ状の育苗ポットと、多数の育苗ポットを搬送するための皿状の搬送トレーであって、前記育苗ポットは下方が窄むように傾斜させたポット側壁と、該ポット側壁の下方と接続したポット底面と、前記ポット側壁の上方に膨出させた段部を介して延設させた一定巾のポット縁部とを備え、前記搬送トレーは前記育苗ポットのポット側壁より低く且つ下方が窄むように傾斜させたトレー側壁と、該トレー側壁の下方と接続したトレー底面と、該トレー底面より立設させた区画した複数の収納区画室を形成するための区画用リブと、該区画用リブに下方が窄むように傾斜させたリブ側壁と、前記トレー側壁の上方に外フランジ部を介して延設させた一定巾のトレー縁部とを備え、前記夫々の収納区画室のトレー側壁とリブ側壁又はリブ側壁に囲まれた区画室内周壁と前記育苗ポットの外周当接面とは摩擦抵抗により係止することを特徴とする育苗ポットと搬送トレー。
【請求項２】
前記育苗ポットと前記搬送トレーとを用いて、同数の育苗ポットを伏せた状態で積み重ねると共に縦横多列に育苗ポットを多数並置する工程と、該育苗ポットを多数並置する工程で並置した多数の育苗ポットの上方から搬送トレーを伏せた状態で積合して夫々の収納区画室に育苗ポットを係止する工程と、該夫々の収納区画室に育苗ポットを係止する工程で育苗ポットを係止させた搬送トレーを上方に持ち上げる工程と、該搬送トレーを上方に持ち上げる工程で持ち上げた搬送トレーを反転させる工程と、を含むことを特徴とする請求項１に記載の育苗ポットと搬送トレーの使用方法。
【発明の詳細な説明】
【技術分野】
【０００１】  本発明は、育苗ポットと搬送トレー及びその使用方法に関するものであって、更に、詳細には、培養土を充填して、植物の種を蒔き発芽させて、苗まで育てるための育苗ポットと、複数の育苗ポットを収納して搬送するための搬送トレーと、その使用方法に関するものである。
【背景技術】
【０００２】  近年、この種の育苗ポットを用いた栽培は栽培環境が進歩したことにより大量に栽培ができるようになり、一度に大量の育苗ポットを必要としており、培養土を充填したり、種を蒔いたり、育苗させるのにその都度搬送する必要があり、その為に、搬送トレーを用いて複数の育苗ポットを一度に搬送している。【０００３】  そして、搬送トレーに複数の育苗ポットを収納するのに、段ボール箱に入れられて送られてきた多数の育苗ポットを搬送トレーに一つ一つ並べて載置して手間暇かけて収納している実情である。【０００４】  例えば、先に開示されている、所定個数の円筒状の育苗ポットを積層した育苗ポット積層体５を、各収納トレイ２，３，４で挟み、育苗ポット積層体５の側壁を平面視円形状から、その円形状の直径より短い辺で形成される矩形状に圧縮変形させた状態で梱包する。また、各収納トレイ２，３，４の高さを、育苗ポットの高さより低く構成して、育苗ポット積層体５の側壁が各収納トレイ２，３，４に囲われないようにするもの（特許文献１参照）や、押え桟２によって仕切られた開放窓３を有する押え蓋５と、該押え蓋５の開口側を支持すると共に押え蓋５内に充填した培土６を受ける受皿７とからなり、ポット植栽に使用する場合、押え蓋５内に収容した状態で開放窓３側に露呈する植栽ポット１０を備えた植栽ポットトレー９を設け、壁面２０に取り付けてポット植栽に使用する場合、押え蓋５内に収容して開放窓３に露呈する植栽ポット１０を備えた植栽ポットトレー９を設けると共に、該植栽ポットトレー９の植栽ポット１０の外側に取り付けて該植栽ポット内の培土を受けるポケット状の土受けトレー１５を設け、さらに該土受けトレー１５を所定位置に保持すると共に押え蓋５を押えるメッシュ盤１９を設けるもの（特許文献２参照）等が開示されている。
【特許文献１】特開２００４−２１５６７２号公報
【特許文献２】特開２００５−３３３９７６号公報
【発明の開示】
【発明が解決しようとする課題】
【０００５】  然し乍ら、特許文献１に記載のものは、育苗ポットと収納トレーに関するものであるが、円筒状の育苗ポットをコンパクトに梱包するものであり、多数の育苗ポットを収納トレーに収納するものではなく、特許文献２に記載のものは、複数の育苗ポットとすることも可能なものであるが、屋上等のコンクリート床、斜面、折版屋根、さらには壁面等に設置するためのものである。
【課題を解決するための手段】
【０００６】  本発明の育苗ポットと搬送トレー及びその使用方法は、前述の課題に鑑み、鋭意研鑽の結果、育苗ポットは下方が窄むように傾斜させたポット側壁と、ポット側壁の下方と接続したポット底面と、ポット側壁に膨出させた段部を介して延設させたポット縁部とを備え、搬送トレーは育苗ポットのポット側壁より低く且つ下方が窄むように傾斜させたトレー側壁と、トレー側壁の下方と接続したトレー底面と、トレー底面より立設させた区画した収納区画室を形成するための区画用リブと、区画用リブに下方が窄むように傾斜させたリブ側壁と、トレー側壁に外フランジ部を介して延設させたトレー縁部とを備え、収納区画室のトレー側壁とリブ側壁又はリブ側壁に囲まれた区画室内周壁と育苗ポットの外周当接面とは摩擦抵抗により係止するものであり、更に、育苗ポットと搬送トレーとを用いて、同数の育苗ポットを伏せた状態で積み重ねると共に縦横多列に育苗ポットを多数並置する工程と、育苗ポットを多数並置する工程で並置した多数の育苗ポットの上方から搬送トレーを伏せた状態で積合して収納区画室に育苗ポットを係止する工程と、収納区画室に育苗ポットを係止する工程で育苗ポットを係止させた搬送トレーを上方に持ち上げる工程と、搬送トレーを上方に持ち上げる工程で持ち上げた搬送トレーを反転させる工程と、を含むものである。
【発明の効果】
【０００７】  本発明の育苗ポットと搬送トレー及びその使用方法は、複数の育苗ポットの外周当接面と、搬送トレーの複数の収納区画室の区画室内周壁とは、摩擦抵抗により係止する構造としているために、縦横多列に多数積み重ねて伏せた状態で並置した育苗ポットの上から搬送トレーを伏せて持ち上げるだけで、搬送トレーに複数の育苗ポットを短時間で収納させるものであり、その貢献性は計り知れないものがあり、極めて有意義な実用性の高いものである。
【発明を実施するための最良の形態】
【０００８】  以下、本発明の育苗ポットと搬送トレー及びその使用方法の実施例の図面を用いて詳細に説明すると、図１は本発明の育苗ポットと搬送トレーの実施例の概要を説明するための平面図であり、図２は本発明の育苗ポットの実施例を説明するための断面図であり、図３は本発明の搬送トレーの実施例を説明するための平面図であり、図４は本発明の育苗ポットと搬送トレーの実施例の概要を説明するための断面図であり、図５は本発明の育苗ポットと搬送トレーの使用方法の育苗ポットを多数並置する工程を説明するための側面図であり、図６は本発明の育苗ポットと搬送トレーの使用方法の夫々の収納区画室に育苗ポットを係止する工程を説明するための側面図であり、図７は本発明の育苗ポットと搬送トレーの使用方法の搬送トレーを上方に持ち上げる工程を説明するための側面図であり、図８は本発明の育苗ポットと搬送トレーの使用方法の搬送トレーを反転させる工程を説明するための側面図である。【０００９】  本発明は、育苗ポットと搬送トレー及びその使用方法に関するものであって、更に、詳細には、培養土を充填して、植物の種を蒔き発芽させて、苗まで育てるための育苗ポット１と、複数の育苗ポット１を収納して搬送するための搬送トレー２と、その使用方法に関するものであり、請求項１に記載の育苗ポットと搬送トレーは、カップ状の育苗ポット１と、多数の育苗ポット１を搬送するための皿状の搬送トレー２であって、前記育苗ポット１は下方が窄むように傾斜させたポット側壁１ａと、該ポット側壁１ａの下方と接続したポット底面１ｂと、前記ポット側壁１ａの上方に膨出させた段部１ｃを介して延設させた一定巾のポット縁部１ｄとを備え、前記搬送トレー２は前記育苗ポット１のポット側壁１ａより低く且つ下方が窄むように傾斜させたトレー側壁２ａと、該トレー側壁２ａの下方と接続したトレー底面２ｂと、該トレー底面２ｂより立設させた区画した複数の収納区画室を形成するための区画用リブ２ｃと、該区画用リブ２ｃに下方が窄むように傾斜させたリブ側壁２ｃａと、前記トレー側壁２ａの上方に外フランジ部２ｄを介して延設させた一定巾のトレー縁部２ｅとを備え、前記夫々の収納区画室のトレー側壁２ａとリブ側壁２ｃａ又はリブ側壁２ｃａに囲まれた区画室内周壁と前記育苗ポット１の外周当接面とは摩擦抵抗により係止することを特徴とするものである。【００１０】  更に、請求項２に記載の育苗ポットと搬送トレーの使用方法は、請求項１に記載の育苗ポットと搬送トレーとを用いて、同数の育苗ポット１を伏せた状態で積み重ねると共に縦横多列に育苗ポットを多数並置する工程と、該育苗ポットを多数並置する工程で並置した多数の育苗ポット１の上方から搬送トレー２を伏せた状態で積合して夫々の収納区画室に育苗ポットを係止する工程と、該夫々の収納区画室に育苗ポットを係止する工程で育苗ポット１を係止させた搬送トレーを上方に持ち上げる工程と、該搬送トレーを上方に持ち上げる工程で持ち上げた搬送トレーを反転させる工程と、を含むことを特徴とするものである。
【実施例】
【００１１】  即ち、本発明の育苗ポット１は、カップ状のものであり、図示する実施例では、平面視が矩形状のものであるが、円形状のものでも、楕円形状等の他形状のものでも適応されるものであり、材質も高品質のポリエチレンを用いているものであるが、他のプラスチック、紙、不織布等でも構わないものである。【００１２】  そして、搬送トレー２は皿状のもので、図示する実施例では、５×３の多数の育苗ポット１を収納してそのまま搬送するものであり、材質も育苗ポット１と同様に高品質のポリエチレンを用いているものであるが、他のプラスチック、紙、不織布等でも構わないものである。【００１３】  次に、育苗ポット１のポット側壁１ａは下方が窄むように傾斜させているもので、下方は後述するポット底面１ｂを接続させており、上方には後述するポット縁部１ｄを段部１ｃを介して延設しているものである。【００１４】  次いで、ポット底面１ｂは傾斜させたポット側壁１ａの下方と接続させた平坦面状のものであり、複数ヵ所に排水のための小孔（図示しない）を穿設すると共に、積み重ね時に相互に剥離困難に密着しないように複数の凸部（図示しない）を形成しているものである。【００１５】  更に、ポット縁部１ｄは、ポット側壁１ａの上方に膨出させた段部１ｃを介して上方に延設させた一定巾のもので、複数の育苗ポット１を積み重ね時に、下段のポット縁部１ｄの頂部が上段の段部１ｃの下方の当接することで、剥離時に容易に離間させることができるものである。【００１６】  そして、搬送トレー２のトレー側壁２ａは、育苗ポット１の挿脱が容易にできるようにポット側壁１ａの略半分程度に低くしているもので、更に、育苗ポット１のポット側壁１ａの傾斜と等角度で下方が窄むように傾斜させているもので、下方は排水用の小孔（図示しない）と、後述する区画用リブ２ｃを設けたトレー底面２ｂを接続させており、上方には後述するトレー縁部２ｅを設けているものである。【００１７】  次に、区画用リブ２ｃは、搬送トレー２のトレー底面２ｂより一体的に立設しているもので、区画された複数の収納区画室を形成するものであり、図１に図示する実施例は、５×３の矩形状に区画されたタイプのものであり、この場合、長手方向を５区画に仕切るため４本区画用リブ２ｃを立設させ、短手方向を３区画に仕切るために区画用リブ２ｃを２本立設しているものある。【００１８】  次いで、リブ側壁２ｃａは、区画用リブ２ｃの側面を下方が窄むように傾斜させているもので、育苗ポット１のポット側壁１ａの傾斜及びトレー側壁２ａの傾斜と等角度で傾斜させているものである。【００１９】  更に、トレー縁部２ｅは、トレー側壁２ａの上方に外フランジ部２ｄを介して下方に延設させた一定巾のもので、複数の育苗ポット１を収納させて搬送するときの把持部と成ると共に、搬送トレー２の強度の補強と成るものである。【００２０】  更には、搬送トレー２の夫々の収納区画室を形成するトレー側壁２ａとリブ側壁２ｃａ、又は、リブ側壁２ｃａに囲まれた区画室内周壁と、育苗ポット１の下方の外周当接面とは摩擦抵抗により係止するものであり、育苗ポット１も搬送トレー２も材料特性としての柔軟性と若干の弾力を備えると共に、育苗ポット１の外周当接面が搬送トレー２の区画室内周壁に嵌入するようにサイズを設定しており、更に、育苗ポット１のポット側壁１ａの傾斜と、搬送トレー２のトレー側壁２ａ及びリブ側壁２ｃａとの下方に窄む傾斜角度は総て同角度にしているものである。【００２１】  つまり、育苗ポット１の外周当接面と搬送トレー２の区画室内周壁とは同形状に形成すると共に、搬送トレー２の複数の収納区画室に夫々収納した状態の育苗ポット１のポット縁部１ｄは夫々接触して、総ての区画室に収納すると略搬送トレー２と同サイズと成るものである。【００２２】  そして、前述の育苗ポット１と搬送トレー２とを用いての使用方法の育苗ポットを多数並置する工程は、段ボール箱に収納されて送られてくる多数の育苗ポット１を、図５に図示する実施例のように、５×３を３０〜４０段、縦横多列に開口を下方にした伏せた状態で積み重ねているもので、つまり、段ボール箱で送られてきた梱包を開封して、逆さまにして育苗ポット１を平坦面に載置して段ボール箱を持ち上げるだけで、多段多列の多数の育苗ポット１が並置できるものである。【００２３】  次に、夫々の収納区画室に育苗ポットを係止する工程では、図６に図示する実施例のように、育苗ポットを多数並置する工程で並置した多数の育苗ポット１の上方から搬送トレー２を伏せた状態で積合するものであり、搬送トレー２の夫々の収納区画室に夫々育苗ポット１が挿入し、少し下方に押圧してポット底面１ｂとトレー底面２ｂとを当接させるものであり、この状態で夫々の収納区画室の区画室内周壁と育苗ポット１の外周当接面とが摩擦抵抗により係止されるものである。【００２４】  次いで、搬送トレーを上方に持ち上げる工程では、夫々の収納区画室に育苗ポットを係止する工程で育苗ポット１を係止させた状態で搬送トレー２を上方に持ち上げるものであり、図７に図示する如く、搬送トレー２の総ての収納区画室に最上段の複数の育苗ポット１が夫々係止されているものである。【００２５】  更に、搬送トレーを反転させる工程では、持ち上げる工程で持ち上げた搬送トレー２を反転させるものであるが、反転させることにより、搬送トレー２に複数の育苗ポット１が収納されており、培養土を充填させる等の使用状態と成るものである。【００２６】  つまり、本発明の育苗ポットと搬送トレーと使用方法は、５×３の搬送トレーにより実施例を説明したが、その収納区画室及び収納される育苗ポットの数は自在に変更できるものであり、多数の育苗ポット１が充填された段ボール箱を開封して逆さまにして載置し、搬送トレー２を被せるだけで、夫々の収納区画室に育苗ポット１が収納され使用できる状態と成るものである。
【産業上の利用可能性】
【００２７】  本発明の育苗ポットと搬送トレー及びその使用方法は、複数の育苗ポットの外周当接面と、搬送トレーの複数の収納区画室の区画室内周壁とは、摩擦抵抗により係止する構造としているために、縦横多列に多数積み重ねて伏せた状態で並置した育苗ポットの上から搬送トレーを伏せて持ち上げるだけで、搬送トレーに複数の育苗ポットを短時間で収納させる育苗ポットと搬送トレー及びその使用方法を提供するものである。
【図面の簡単な説明】
【００２８】
【図１】  図１は本発明の育苗ポットと搬送トレーの実施例の概要を説明するための平面図である。
【図２】  図２は本発明の育苗ポットの実施例を説明するための断面図である。
【図３】  図３は本発明の搬送トレーの実施例を説明するための平面図である。
【図４】  図４は本発明の育苗ポットと搬送トレーの実施例の概要を説明するための断面図である。
【図５】  図５は本発明の育苗ポットと搬送トレーの使用方法の育苗ポットを多数並置する工程を説明するための側面図である。
【図６】  図６は本発明の育苗ポットと搬送トレーの使用方法の夫々の収納区画室に育苗ポットを係止する工程を説明するための側面図である。
【図７】  図７は本発明の育苗ポットと搬送トレーの使用方法の搬送トレーを上方に持ち上げる工程を説明するための側面図である。
【図８】  図８は本発明の育苗ポットと搬送トレーの使用方法の搬送トレーを反転させる工程を説明するための側面図である。
【符号の説明】
【００２９】１      育苗ポット
１ａ    ポット側壁
１ｂ    ポット底面
１ｃ    段部
１ｄ    ポット縁部
２      搬送トレー
２ａ    トレー側壁
２ｂ    トレー底面
２ｃ    区画用リブ
２ｃａ  リブ側壁
２ｄ    外フランジ部
２ｅ    トレー縁部
【図１】
2008035845.tif 000003
【図２】
2008035845.tif 000004
【図３】
2008035845.tif 000005
【図４】
2008035845.tif 000006
【図５】
2008035845.tif 000007
【図６】
2008035845.tif 000008
【図７】
2008035845.tif 000009
【図８】
2008035845.tif 000010